(57)【要約】【課題】スペーサの内側に透明な絶縁層が配置される場合に、スペーサの内側の領域において色がにじむのを防止することが可能な表示装置を提供する。【解決手段】表示装置は、副画素５１ａ〜副画素５１ｃにより構成される画素５１を有する表示部５０と、表示部５０の前面に配置されるタッチパネル６０とを備える。タッチパネル６０は、第１透明導電膜６１ａが形成された第１透明基板６１と、第１透明導電膜６１ａと対向配置される第２透明導電膜が形成された第２透明基板と、第１透明基板６１および第２透明基板の間に配置され、第１透明基板６１および第２透明基板の外周部に配置されるスペーサ６３と、スペーサ６３の内側に配置される透明な絶縁層６４ａとを含む。表示部５０は、絶縁層６４ａの他方端部６４２ａを含む領域Ｒ３に位置する画素５１において、赤色の副画素５１ａのみを点灯する。【選択図】図５
2012242788.tif 000002
【特許請求の範囲】
【請求項１】
異なる色の複数の副画素により構成される画素を有する表示部と、
前記表示部の前面に配置されるタッチパネルとを備える表示装置であって、
前記タッチパネルは、
第１透明導電膜が形成された第１透明基板と、
前記第１透明導電膜と対向配置される第２透明導電膜が形成された第２透明基板と、
前記第１透明基板および前記第２透明基板の間に配置され、前記第１透明基板および前記第２透明基板の外周部に配置されるスペーサと、
前記スペーサの内側に配置される透明な絶縁層とを含み、
前記絶縁層は、前記スペーサ側の一方端部と、前記一方端部とは反対側の他方端部とを有し、
前記表示部は、前記絶縁層の他方端部を含む領域に位置する画素において、異なる色の副画素を同時に点灯しない構成とされていること
を特徴とする表示装置。
【請求項２】
請求項１に記載の表示装置であって、
前記タッチパネルは、前記絶縁層が配置される非動作領域と、前記非動作領域の内側の動作領域とを含み、
前記絶縁層の他方端部を含む領域は、前記非動作領域と前記動作領域との境界を含むこと
を特徴とする表示装置。
【請求項３】
請求項１または請求項２に記載の表示装置であって、
前記表示部は、前記絶縁層の他方端部を含む領域に位置する画素において、全ての副画素を点灯しない構成とされていること
を特徴とする表示装置。
【請求項４】
請求項１または請求項２に記載の表示装置であって、
前記画素は、赤色、緑色および青色の副画素を含み、
前記表示部は、前記絶縁層の他方端部を含む領域に位置する画素において、赤色、緑色および青色のいずれか一色の副画素のみを点灯する構成とされていること
を特徴とする表示装置。
【請求項５】
請求項１から請求項４までのいずれか一つに記載の表示装置であって、
前記絶縁層の他方端部を含む領域は、前記表示部から前記絶縁層までの距離に基づいて予め設定されていること
を特徴とする表示装置。
【請求項６】
請求項１から請求項５までのいずれか一つに記載の表示装置であって、
前記表示部は、液晶パネルを含むこと
を特徴とする表示装置。
【請求項７】
画像データに基づいて画像を形成する画像形成部と、
請求項１から請求項６までのいずれか一つに記載の表示装置とを備えること
を特徴とする画像形成装置。
【発明の詳細な説明】
【技術分野】
【０００１】
本発明は、タッチパネルを備える表示装置および表示装置を備える画像形成装置に関する。
【背景技術】
【０００２】
従来、表示部と、表示部の前面に配置されるタッチパネルとを備える表示装置が知られている（たとえば、特許文献１参照）。
【０００３】
特許文献１には、液晶表示素子と、液晶表示素子に貼り合わされたタッチパネルとを備える入力機能一体型液晶表示装置が開示されている。タッチパネルは、透明な電極が形成された入力側基板および固定基板と、入力側基板および固定基板を各々の電極が対向するように貼り合わせる接着層とを含んでいる。接着層は、入力側基板および固定基板の外周部に配置され、入力側基板と固定基板との間に空気層を形成するためのスペーサとして機能する。
【先行技術文献】
【特許文献】
【０００４】
【特許文献１】特開平１０−２４０４４１号公報
【発明の概要】
【発明が解決しようとする課題】
【０００５】
特許文献１に開示された従来の入力機能一体型液晶表示装置において、接着層の内側に透明な絶縁層が設けられる場合には、絶縁層の端部を通過する光が屈折することにより、その屈折した光が絶縁層の端部を通過しない他の色の光と混ざるので、色にじみが発生するという問題点がある。
【０００６】
本発明は、上記の課題を解決するためになされたものであり、スペーサの内側に透明な絶縁層が配置される場合に、スペーサの内側の領域において色がにじむのを防止することが可能な表示装置および表示装置を備える画像形成装置を提供することを目的とする。
【課題を解決するための手段】
【０００７】
本発明に係る表示装置は、異なる色の複数の副画素により構成される画素を有する表示部と、前記表示部の前面に配置されるタッチパネルとを備える表示装置であって、前記タッチパネルは、第１透明導電膜が形成された第１透明基板と、前記第１透明導電膜と対向配置される第２透明導電膜が形成された第２透明基板と、前記第１透明基板および前記第２透明基板の間に配置され、前記第１透明基板および前記第２透明基板の外周部に配置されるスペーサと、前記スペーサの内側に配置される透明な絶縁層とを含み、前記絶縁層は、前記スペーサ側の一方端部と、前記一方端部とは反対側の他方端部とを有し、前記表示部は、前記絶縁層の他方端部を含む領域に位置する画素において、異なる色の副画素を同時に点灯しない構成とされていることを特徴とする。
【０００８】
この構成によって、絶縁層の他方端部を含む領域に位置する画素において異なる色の副画素を同時に点灯する場合のように、絶縁層の他方端部を通過する光が屈折することに起因して、その屈折した光が絶縁層の他方端部を通過しない他の色の光と混ざることにより、色にじみが発生することがない。すなわち、絶縁層の他方端部を含む領域に位置する画素において一色の副画素のみを点灯することにより、絶縁層の他方端部を通過する光が屈折した場合にも、その屈折した光が他の色の光と混ざることがないので、色がにじむのを防止することができる。また、絶縁層の他方端部を含む領域に位置する画素において全ての副画素を点灯しないことにより、絶縁層の他方端部を光が通過しないので、色がにじむのを防止することができる。その結果、スペーサの内側の領域（絶縁層の他方端部を含む領域）において色がにじむのを防止することができる。
【０００９】
本発明に係る表示装置では、前記タッチパネルは、前記絶縁層が配置される非動作領域と、前記非動作領域の内側の動作領域とを含み、前記絶縁層の他方端部を含む領域は、前記非動作領域と前記動作領域との境界を含むことを特徴とする。なお、動作領域とは、第２透明基板が押された場合に、タッチパネルが押されたことを検出可能な領域であり、非動作領域とは、第２透明基板が押された場合に、タッチパネルが押されたことを検出不可能な領域である。
【００１０】
この構成により、非動作領域と動作領域との境界を含む領域において色がにじむのを防止することができる。
【００１１】
本発明に係る表示装置では、前記表示部は、前記絶縁層の他方端部を含む領域に位置する画素において、全ての副画素を点灯しない構成とされていることを特徴とする。
【００１２】
この構成により、スペーサの内側の領域において、色がにじむのを防止しながら黒色を表示することができる。
【００１３】
本発明に係る表示装置では、前記画素は、赤色、緑色および青色の副画素を含み、前記表示部は、前記絶縁層の他方端部を含む領域に位置する画素において、赤色、緑色および青色のいずれか一色の副画素のみを点灯する構成とされていることを特徴とする。
【００１４】
この構成により、スペーサの内側の領域において、色がにじむのを防止しながら赤色、緑色および青色のいずれか一色を表示することができる。
【００１５】
本発明に係る表示装置では、前記絶縁層の他方端部を含む領域は、前記表示部から前記絶縁層までの距離に基づいて予め設定されていることを特徴とする。
【００１６】
この構成により、絶縁層の他方端部を光が通過する画素についてだけ、異なる色の副画素を同時に点灯しないようにすることができる。
【００１７】
本発明に係る表示装置では、前記表示部は、液晶パネルを含むことを特徴とする。
【００１８】
この構成により、液晶パネルの外周部の色がにじむのを防止することができる。
【００１９】
本発明に係る画像形成装置は、画像データに基づいて画像を形成する画像形成部と、上記のいずれか一つに記載の表示装置とを備えることを特徴とする。
【００２０】
この構成によって、スペーサの内側の領域において色がにじむのを防止することが可能な表示装置を備える画像形成装置を得ることができる。
【発明の効果】
【００２１】
本発明に係る表示装置および表示装置を備える画像形成装置によれば、スペーサの内側に透明な絶縁層が配置される場合に、スペーサの内側の領域において色がにじむのを防止することができる。
【図面の簡単な説明】
【００２２】
【図１】本発明の実施の形態１に係る表示装置を示した平面図である。
【図２】図１に示した表示装置の表示部の概略を示した平面図である。
【図３Ａ】図１のＡ−Ａ断面図である。
【図３Ｂ】図１のＢ−Ｂ断面図である。
【図４】図３Ａおよび図３Ｂに示した表示装置のタッチパネルの動作原理を説明するための図である。
【図５】本発明の実施の形態１に係る表示装置の表示時の動作を説明するための図である。
【図６Ａ】本発明の実施の形態１に係る表示装置の表示時の動作を説明するために領域Ｒ３を示した平面図である。
【図６Ｂ】本発明の実施の形態１に係る表示装置の表示時の動作を説明するために領域Ｒ４を示した平面図である。
【図７】本発明の実施の形態２に係る画像形成装置の概略を示した正面図である。
【図８】図７に示した画像形成装置に設けられた操作パネルを示した平面図である。
【発明を実施するための形態】
【００２３】
以下、本発明の実施の形態について図面を参照して説明する。
【００２４】
＜実施の形態１＞
図１は、本発明の実施の形態１に係る表示装置を示した平面図である。図１を参照して、実施の形態１に係る表示装置１００の概略について説明する。
【００２５】
表示装置１００は、表示部５０と、表示部５０の前面に配置されるタッチパネル６０とを備えている。
【００２６】
タッチパネル６０は、たとえば、抵抗膜方式のタッチパネルである。タッチパネル６０では、外周部に透明ではないスペーサ６３が配置されている。すなわち、タッチパネル６０では、外周部に遮光性のスペーサ６３が枠状に配置されている。そして、スペーサ６３の内側に透明な絶縁層６４ａ（図３Ａ参照）および絶縁層６４ｂ（図３Ｂ参照）が配置されている。これにより、タッチパネル６０では、スペーサ６３の内側に枠状に透明な非動作領域Ｒ２が形成され、非動作領域Ｒ２の内側に透明な矩形状の動作領域Ｒ１が形成されている。
【００２７】
すなわち、タッチパネル６０では、矩形状の動作領域Ｒ１を取り囲むように非動作領域Ｒ２が形成され、非動作領域Ｒ２を取り囲むようにスペーサ６３が形成されている。これにより、タッチパネル６０は、透明な絶縁層６４ａおよび絶縁層６４ｂが配置される非動作領域Ｒ２と、非動作領域Ｒ２の内側の動作領域Ｒ１とを含んでいる。
【００２８】
なお、動作領域Ｒ１とは、第２透明基板６２が押された場合に、タッチパネル６０が押されたことを検出可能な領域であり、非動作領域Ｒ２とは、第２透明基板６２が押された場合に、タッチパネル６０が押されたことを検出不可能な領域である。
【００２９】
図２は、図１に示した表示装置の表示部の概略を示した平面図である。図１を参照して、実施の形態１に係る表示装置１００の表示部５０の概略について説明する。
【００３０】
表示部５０は、たとえば、液晶ディスプレイである。表示部５０は、マトリクス（行列）状に配置される複数の画素５１を含んでいる。画素５１は、赤色の副画素（ドット）５１ａと、緑色の副画素５１ｂと、青色の副画素５１ｃとにより構成されている。表示部５０の画素５１の配列は、たとえば、副画素５１ａ〜副画素５１ｃがそれぞれ垂直方向に並ぶストライプ型である。
【００３１】
また、表示部５０は、バックライト５２（図３Ａおよび図３Ｂ参照）と、バックライト５２の前面に配置される液晶パネル５３（図３Ａおよび図３Ｂ参照）とを含んでいる。バックライト５２は、液晶パネル５３を背面から照らすために設けられている。バックライト５２は、たとえば、冷陰極管や導光板などを有する。液晶パネル５３は、バックライト５２から照射される光の透過率を制御することにより、表示部５０の表示を制御する機能を有する。液晶パネル５３は、たとえば、液晶層やカラーフィルタなどを有する。
【００３２】
図３Ａは、図１のＡ−Ａ断面図である。図３Ａを参照して、実施の形態１に係る表示装置１００の長手方向Ｘの端部近傍の構造について説明する。なお、図３Ａでは、表示装置１００の長手方向Ｘの一方端部近傍を示したが、表示装置１００の長手方向Ｘの他方端部近傍も同様に構成されている。
【００３３】
タッチパネル６０は、第１透明導電膜６１ａが形成された第１透明基板６１と、第１透明導電膜６１ａと対向配置される第２透明導電膜６２ａが形成された第２透明基板６２と、第１透明基板６１および第２透明基板６２の間に配置されたスペーサ６３と、スペーサ６３の内側に配置された透明な絶縁層６４ａとを含んでいる。
【００３４】
第１透明基板６１は、たとえば、ガラス基板であり、表示部５０の前面に配置されている。第１透明基板６１の表面（前面）には、外周部にスペーサ６３が形成されている。第１透明基板６１の表面に形成される第１透明導電膜６１ａは、たとえば、ＩＴＯ（Indium Tin Oxide）膜である。
【００３５】
また、第１透明基板６１の表面には、第１透明基板６１の長手方向Ｘの両端部（スペーサ６３の内側）において、第１透明基板６１の短手方向Ｙに延びる透明な絶縁層６４ａが形成されている。このため、第１透明基板６１の表面には、第１透明基板６１の長手方向Ｘの両端部において、外側から内側へ順にスペーサ６３、スペーサ６３内の配線６３ｃ、透明な絶縁層６４ａおよび第１透明導電膜６１ａが配置されている。これにより、第１透明導電膜６１ａの長手方向Ｘの両端部がスペーサ６３と離間するように構成されている。すなわち、透明な絶縁層６４ａは、第１透明導電膜６１ａとスペーサ６３の配線６３ｃとを電気的に分離するために設けられている。
【００３６】
第２透明基板６２は、たとえば、可撓性を有するＰＥＴ（PolyEthylene Terephthalate）フィルムであり、スペーサ６３を介して第１透明基板６１の前面に配置されている。第２透明基板６２の裏面には、外周部にスペーサ６３が形成されている。第２透明基板６２の裏面に形成される第２透明導電膜６２ａは、たとえば、ＩＴＯ膜である。第２透明導電膜６２ａの長手方向Ｘの両端部には、スペーサ６３に設けられた電極６３ｂが接続されている。このため、第２透明基板６２の裏面には、第２透明基板６２の長手方向Ｘの両端部において、外側から内側へ順にスペーサ６３、スペーサ６３内の電極６３ｂおよび第２透明導電膜６２ａが配置されている。
【００３７】
スペーサ６３は、第１透明基板６１および第２透明基板６２の外周部に配置されている。スペーサ６３は、第２透明基板６２と第１透明基板６１とが空間Ｓを隔てた状態で、第２透明基板６２を第１透明基板６１に取り付けるために設けられている。
【００３８】
スペーサ６３は、絶縁体６３ａと、電極６３ｂおよび配線６３ｃとを含んでいる。電極６３ｂは、タッチパネル６０の短手方向Ｙに延びるように形成されている。電極６３ｂは、２個設けられており、第２透明導電膜６２ａの長手方向Ｘの両端部にそれぞれ接続されている。配線６３ｃは、一対の電極６３ｄ（図３Ｂ参照）のいずれか一方に接続されている。
【００３９】
透明な絶縁層６４ａは、スペーサ６３側の一方端部（外側端部）６４１ａと、一方端部６４１ａとは反対側の他方端部（内側端部）６４２ａとを有する。
【００４０】
図３Ｂは、図１のＢ−Ｂ断面図である。図３Ｂを参照して、実施の形態１に係る表示装置１００の短手方向Ｙの端部近傍の構造について説明する。なお、図３Ｂでは、表示装置１００の短手方向Ｙの一方端部近傍を示したが、表示装置１００の短手方向Ｙの他方端部近傍も同様に構成されている。
【００４１】
タッチパネル６０は、第１透明導電膜６１ａが形成された第１透明基板６１と、第１透明導電膜６１ａと対向配置される第２透明導電膜６２ａが形成された第２透明基板６２と、第１透明基板６１および第２透明基板６２の間に配置されたスペーサ６３と、スペーサ６３の内側に配置された透明な絶縁層６４ｂとを含んでいる。
【００４２】
第１透明導電膜６１ａの短手方向Ｙの両端部には、スペーサ６３に設けられた電極６３ｄが接続されている。このため、第１透明基板６１の表面には、第１透明基板６１の短手方向Ｙの両端部において、外側から内側へ順にスペーサ６３、スペーサ６３内の電極６３ｄおよび第１透明導電膜６１ａが配置されている。
【００４３】
第２透明基板６２の裏面には、第２透明基板６２の短手方向Ｙの両端部（スペーサ６３の内側）において、第２透明基板６２の長手方向Ｘに延びる透明な絶縁層６４ｂが形成されている。このため、第２透明基板６２の裏面には、第２透明基板６２の短手方向Ｙの両端部において、外側から内側へ順にスペーサ６３、スペーサ６３内の配線６３ｅ、透明な絶縁層６４ｂおよび第２透明導電膜６２ａが配置されている。これにより、第２透明導電膜６２ａの短手方向Ｙの両端部がスペーサ６３と離間するように構成されている。すなわち、透明な絶縁層６４ｂは、第２透明導電膜６２ａとスペーサ６３の配線６３ｅとを電気的に分離するために設けられている。
【００４４】
スペーサ６３は、絶縁体６３ａと、電極６３ｄおよび配線６３ｅとを含んでいる。電極６３ｄは、タッチパネル６０の長手方向Ｘに延びるように形成されている。電極６３ｄは、２個設けられており、第１透明導電膜６１ａの短手方向Ｙの両端部にそれぞれ接続されている。配線６３ｅは、一対の電極６３ｂ（図３Ａ参照）のいずれか一方に接続されている。
【００４５】
透明な絶縁層６４ｂは、スペーサ６３側の一方端部（外側端部）６４１ｂと、一方端部６４１ｂとは反対側の他方端部（内側端部）６４２ｂとを有する。
【００４６】
図４は、図３Ａおよび図３Ｂに示した表示装置のタッチパネルの動作原理を説明するための図である。図４を参照して、実施の形態１に係る表示装置１００のタッチパネル６０の動作原理について説明する。なお、図４では、タッチパネル６０の動作原理を説明しやすくするために、第１透明導電膜６１ａと、第１透明導電膜６１ａに接続された電極６３ｄと、第２透明導電膜６２ａと、第２透明導電膜６２ａに接続された電極６３ｂとだけを示した。
【００４７】
タッチパネル６０では、指やペンなどにより第２透明基板６２が押された場合に、第２透明基板６２が撓むことにより、第２透明導電膜６２ａが第１透明導電膜６１ａに接触する。このとき、第２透明導電膜６２ａの長手方向Ｘの両端部に配置される電極６３ｂ間に所定の電圧を印加して、第１透明導電膜６１ａに接続された電極６３ｄにより分圧を検出することによって、タッチパネル６０の長手方向Ｘにおける接触位置が判断される。同様に、第１透明導電膜６１ａの短手方向Ｙの両端部に配置される電極６３ｄ間に所定の電圧を印加して、第２透明導電膜６２ａに接続された電極６３ｂにより分圧を検出することによって、タッチパネル６０の短手方向Ｙにおける接触位置が判断される。
【００４８】
図５は、本発明の実施の形態１に係る表示装置の表示時の動作を説明するための図である。図６Ａは、図１に示した表示装置の表示時の動作を説明するために領域Ｒ３を示した平面図である。図６Ｂは、図１に示した表示装置の表示時の動作を説明するために領域Ｒ４を示した平面図である。図５、図６Ａおよび図６Ｂを参照して、実施の形態１に係る表示装置１００の表示時の動作について説明する。
【００４９】
表示装置１００では、透明な絶縁層６４ａの他方端部６４２ａを含む領域Ｒ３に位置する画素５１（図５参照）において、表示内容にかかわらず、赤色の副画素５１ａのみを点灯し、緑色の副画素５１ｂおよび青色の副画素５１ｃを点灯させない。なお、領域Ｒ３は、スペーサ６３と透明な絶縁層６４ａとの境界から、絶縁層６４ａの他方端部６４２ａ（動作領域Ｒ１と非動作領域Ｒ２との境界）を跨ぐ幅を有する。図５の例では、領域Ｒ３に位置する３個の画素５１が赤色の副画素５１ａのみを点灯する。この領域Ｒ３の幅（表示装置１００の長手方向Ｘにおける長さ）は、表示部５０から絶縁層６４ａまでの距離（図５の例では、第１透明基板６１の厚み）に基づいて予め設定されている。これにより、表示装置１００の長手方向Ｘの両端部においてスペーサ６３の内側の領域が赤色に表示される。なお、絶縁層６４ａの他方端部６４２ａを含む領域Ｒ３の内側に位置する画素５１については、表示内容に応じて全ての副画素５１ａ〜副画素５１ｃが点灯する。
【００５０】
また、領域Ｒ３は、動作領域Ｒ１と非動作領域Ｒ２との境界を含む領域である。また、領域Ｒ３（図６Ａのハッチング領域）は、平面的に見て矩形状であり、スペーサ６３の内側において表示装置１００の短手方向Ｙに延びるように形成されている。また、領域Ｒ３は、表示装置１００の長手方向Ｘの両端部近傍にそれぞれ形成されている。また、副画素５１ｂおよび副画素５１ｃを点灯させないとは、副画素５１ｂおよび副画素５１ｃにおけるバックライト５２からの光の透過率を実質的に０％にすることをいう。
【００５１】
同様に、透明な絶縁層６４ｂの他方端部６４２ｂを含む領域Ｒ４（図６Ｂのハッチング領域）に位置する画素５１においても、表示内容にかかわらず、赤色の副画素５１ａのみを点灯し、緑色の副画素５１ｂおよび青色の副画素５１ｃを点灯させない。なお、領域Ｒ４は、スペーサ６３と透明な絶縁層６４ｂとの境界から、絶縁層６４ｂの他方端部６４２ｂ（動作領域Ｒ１と非動作領域Ｒ２との境界）を跨ぐ幅を有する。これにより、表示装置１００の短手方向Ｙの両端部においてスペーサ６３の内側の領域が赤色に表示される。なお、領域Ｒ４の内側に位置する画素５１については、表示内容に応じて全ての副画素５１ａ〜副画素５１ｃが点灯する。
【００５２】
なお、領域Ｒ４は、表示部５０から絶縁層６４ｂまでの距離が、表示部５０から絶縁層６４ａまでの距離よりも長いことから、幅（表示装置１００の短手方向Ｙにおける長さ）が領域Ｒ３の幅（表示装置１００の長手方向Ｘにおける長さ）よりも大きくなるように設定されている。また、領域Ｒ４は、動作領域Ｒ１と非動作領域Ｒ２との境界を含む領域である。また、領域Ｒ４は、平面的に見て矩形状であり、スペーサ６３の内側において表示装置１００の長手方向Ｘに延びるように形成されている。また、領域Ｒ４は、表示装置１００の短手方向Ｙの両端部近傍にそれぞれ形成されている。
【００５３】
以上により、表示装置１００では、スペーサ６３の内側において赤色が枠状に表示される。
【００５４】
実施の形態１では、上記のように、絶縁層６４ａの他方端部６４２ａを含む領域Ｒ３に位置する画素５１において、表示内容にかかわらず、赤色の副画素５１ａのみを点灯し、緑色の副画素５１ｂおよび青色の副画素５１ｃを点灯させない。
【００５５】
このように構成することによって、領域Ｒ３に位置する画素５１において異なる色の副画素５１ａ〜副画素５１ｃを同時に点灯する場合のように、絶縁層６４ａの他方端部６４２ａを通過する光が屈折することに起因して、その屈折した光が絶縁層６４ａの他方端部６４２ａを通過しない他の色の光と混ざることにより、色にじみが発生することがない。すなわち、領域Ｒ３に位置する画素５１において赤色の副画素５１ａのみを点灯することにより、絶縁層６４ａの他方端部６４２ａを通過する光が屈折した場合にも、その屈折した光が緑色または青色の光と混ざることがないので、色がにじむのを防止することができる。その結果、絶縁層６４ａの他方端部６４２ａを含む領域Ｒ３（表示装置１００の長手方向Ｘの両端部）において色がにじむのを防止することができる。
【００５６】
同様に、領域Ｒ４に位置する画素５１においても、表示内容にかかわらず、赤色の副画素５１ａのみを点灯し、緑色の副画素５１ｂおよび青色の副画素５１ｃを点灯させないことによって、領域Ｒ４（表示装置１００の短手方向Ｙの両端部）において色がにじむのを防止することができる。
【００５７】
また、実施の形態１では、表示部５０が液晶パネル５３を含むことによって、液晶パネル５３の外周部の色がにじむのを防止することができる。
【００５８】
また、実施の形態１では、表示部５０から絶縁層６４ａまでの距離に基づいて領域Ｒ３の幅が予め設定されることによって、絶縁層６４ａの他方端部６４２ａを光が通過する画素５１についてだけ、表示内容にかかわらず、赤色の副画素５１ａのみを点灯させることができる。
【００５９】
なお、実施の形態１では、絶縁層６４ａの他方端部６４２ａを含む領域Ｒ３に位置する画素５１において、表示内容にかかわらず、赤色の副画素５１ａのみを点灯し、緑色の副画素５１ｂおよび青色の副画素５１ｃを点灯させない例を示したが、これに限らず、領域Ｒ３に位置する画素５１において異なる色の副画素５１ａ〜副画素５１ｃを同時に点灯しないようにすればよい。具体的には、領域Ｒ３に位置する画素５１において、緑色の副画素５１ｂまたは青色の副画素５１ｃのみを点灯するようにしてもよい。このように構成すれば、スペーサ６３の内側の領域において、色がにじむのを防止しながら緑色または青色を表示することができる。また、領域Ｒ３に位置する画素５１において、全ての副画素５１ａ〜副画素５１ｃを点灯しないようにしてもよい。このように構成すれば、絶縁層６４ａの他方端部６４２ａを光が通過しないので、スペーサ６３の内側の領域において、色がにじむのを防止しながら黒色を表示することができる。なお、領域Ｒ４に位置する画素５１についても同様である。
【００６０】
また、実施の形態１では、表示装置１００の短手方向Ｙの両端部に透明な絶縁層６４ｂが配置される例を示したが、これに限らず、絶縁層６４ｂが設けられていなくてもよい。この場合には、表示装置１００の短手方向Ｙの両端部において色がにじむおそれがないので、表示内容に応じて全ての副画素５１ａ〜副画素５１ｃを点灯するようにすればよい。すなわち、表示装置１００の長手方向Ｘの両端部においてのみ色がにじむのを防止するようにしてもよい。
【００６１】
また、実施の形態１では、第２透明基板６２に絶縁層６４ｂが形成される例を示したが、これに限らず、絶縁層６４ｂの代わりに、第１透明基板６１の短手方向Ｙの両端部に透明な絶縁層が形成されていてもよい。
【００６２】
また、実施の形態１では、表示部５０が液晶ディスプレイである例を示したが、これに限らず、たとえば、表示部５０が有機ＥＬ（Organic Electro-Luminescence）ディスプレイであってもよい。
【００６３】
また、実施の形態１では、表示部５０の画素５１の配列がストライプ型である例を示したが、これに限らず、表示部の画素の配列がモザイク型やデルタ型であってもよい。
【００６４】
＜実施の形態２＞
図７は、本発明の実施の形態２に係る画像形成装置の概略を示した正面図である。図７を参照して、実施の形態２に係る画像形成装置１について説明する。
【００６５】
画像形成装置１は、たとえば、コピー機能、スキャナ機能、ファクシミリ機能、およびプリンタ機能を有する複合機である。画像形成装置１は、原稿の画像を読み取る画像読取装置２と、画像読取装置２により読み取られた画像データに基づいて画像を形成する画像形成部３とを備えている。
【００６６】
画像形成部３は、感光体ドラム４ａ〜感光体ドラム４ｄと、帯電器５ａ〜帯電器５ｄと、露光装置６と、現像装置７ａ〜現像装置７ｄと、クリーナ装置８ａ〜クリーナ装置８ｄと、中間転写ローラ９ａ〜中間転写ローラ９ｄを有する中間転写ベルト装置９と、２次転写装置１０と、定着装置１１と、給紙トレイ１２ａおよび手差し給紙トレイ１２ｂと、排紙トレイ１３と、シート搬送装置１４とを含んでいる。
【００６７】
画像形成部３は、ブラック（Ｋ）、シアン（Ｃ）、マゼンタ（Ｍ）、イエロー（Ｙ）の各色を用いたカラー画像と、単色（たとえば、ブラック）を用いたモノクロ画像とを形成可能に構成されている。
【００６８】
具体的には、ブラックを形成する画像ステーションが、感光体ドラム４ａと、帯電器５ａと、現像装置７ａと、クリーナ装置８ａと、中間転写ローラ９ａとにより構成されている。また、シアンを形成する画像ステーションが、感光体ドラム４ｂと、帯電器５ｂと、現像装置７ｂと、クリーナ装置８ｂと、中間転写ローラ９ｂとにより構成されている。
【００６９】
また、マゼンタを形成する画像ステーションが、感光体ドラム４ｃと、帯電器５ｃと、現像装置７ｃと、クリーナ装置８ｃと、中間転写ローラ９ｃとにより構成されている。また、イエローを形成する画像ステーションが、感光体ドラム４ｄと、帯電器５ｄと、現像装置７ｄと、クリーナ装置８ｄと、中間転写ローラ９ｄとにより構成されている。
【００７０】
感光体ドラム４ａ〜感光体ドラム４ｄは、表面に光感光層を有する。帯電器５ａ〜帯電器５ｄは、感光体ドラム４ａ〜感光体ドラム４ｄの表面を所定の電位に均一に帯電させるために設けられている。帯電器５ａ〜帯電器５ｄは、接触型であるローラ型やブラシ型の帯電器であってもよいし、チャージャー型の帯電器であってもよい。
【００７１】
露光装置６は、たとえば、レーザダイオードおよび反射ミラーを有するレーザスキャニングユニット（ＬＳＵ）であり、帯電された感光体ドラム４ａ〜感光体ドラム４ｄの表面を画像データに応じて露光して、その表面に画像データに応じた静電潜像を形成する。
【００７２】
現像装置７ａ〜現像装置７ｄは、感光体ドラム４ａ〜感光体ドラム４ｄ上に形成された静電潜像をＫ、Ｃ、Ｍ、Ｙのトナーにより現像する。クリーナ装置８ａ〜クリーナ装置８ｄは、現像および画像転写後に感光体ドラム４ａ〜感光体ドラム４ｄの表面に残留したトナーを除去および回収する。
【００７３】
中間転写ベルト装置９は、感光体ドラム４ａ〜感光体ドラム４ｄの上方に配置されており、中間転写ベルト９ｅと、中間転写ベルト駆動ローラ９ｆと、従動ローラ９ｇと、テンションローラ９ｈと、中間転写ベルトクリーニング装置９ｉとを含んでいる。
【００７４】
中間転写ベルト９ｅは、厚さ１００μｍ〜１５０μｍ程度のフィルムを用いて無端ベルト状に形成されている。中間転写ローラ９ａ〜中間転写ローラ９ｄ、中間転写ベルト駆動ローラ９ｆ、従動ローラ９ｇ、およびテンションローラ９ｈは、中間転写ベルト９ｅを張架して支持し、中間転写ベルト９ｅを周回方向Ｃに移動させる。
【００７５】
中間転写ローラ９ａ〜中間転写ローラ９ｄは、中間転写ベルト９ｅの内側に回転可能に支持され、中間転写ベルト９ｅを介して感光体ドラム４ａ〜感光体ドラム４ｄに圧接されている。
【００７６】
中間転写ベルト９ｅは、感光体ドラム４ａ〜感光体ドラム４ｄに接触するように設けられている。中間転写ベルト９ｅには、感光体ドラム４ａ〜感光体ドラム４ｄの表面のトナー像が順次重ねて転写されることにより、カラーのトナー像（各色のトナー像）が形成される。
【００７７】
感光体ドラム４ａ〜感光体ドラム４ｄから中間転写ベルト９ｅへのトナー像の転写は、中間転写ベルト９ｅの内側（裏面）に圧接されている中間転写ローラ９ａ〜中間転写ローラ９ｄによって行われる。中間転写ローラ９ａ〜中間転写ローラ９ｄは、たとえば、直径８〜１０ｍｍのステンレスなどの金属軸と、金属軸を覆う導電性の弾性材（たとえば、ＥＰＤＭ、発泡ウレタン等）とを有する。中間転写ローラ９ａ〜中間転写ローラ９ｄには、トナー像を転写するために高電圧の転写バイアス（トナーの帯電極性（一）とは逆極性（＋）の高電圧）が印加されており、その導電性の弾性材により高電圧が中間転写ベルト９ｅに対して均一に印加される。
【００７８】
２次転写装置１０は、中間転写ベルト９ｅと接触する転写ローラ１０ａを有する。転写ローラ１０ａは、中間転写ベルト駆動ローラ９ｆと隣接するように、中間転写ベルト９ｅの外側に配置されている。中間転写ベルト９ｅと転写ローラ１０ａとは、相互に圧接されてニップ域を形成する。また、２次転写装置１０の転写ローラ１０ａには、中間転写ベルト９ｅ上の各色のトナー像を用紙に転写させるための電圧（たとえば、トナーの帯電極性（一）とは逆極性（＋）の高電圧）が印加される。さらに、そのニップ域を定常的に得るために、転写ローラ１０ａおよび中間転写ベルト駆動ローラ９ｆのいずれか一方を硬質材料（金属製ローラ等）とし、他方を軟質材料（弾性ゴムローラや発泡性樹脂ローラ等）としている。
【００７９】
上述のように、感光体ドラム４ａ〜感光体ドラム４ｄの表面のトナー像は、中間転写ベルト９ｅで積層され、画像データに応じたカラーのトナー像となる。このように積層された各色のトナー像は、中間転写ベルト９ｅとともに搬送され、２次転写装置１０によって用紙上に転写される。
【００８０】
また、２次転写装置１０によって中間転写ベルト９ｅ上のトナー像が用紙上に完全に転写されず、中間転写ベルト９ｅ上にトナーが残留することがあり、この残留トナーが次工程でトナーの混色を発生させる原因となる。このため、中間転写ベルトクリーニング装置９ｉによって残留トナーを除去および回収する。
【００８１】
たとえば、中間転写ベルトクリーニング装置９ｉは、従動ローラ９ｇ側に押圧された状態で中間転写ベルト９ｅに接触するクリーニングブレードを有しており、このクリーニングブレードにより残留トナーが除去および回収される。
【００８２】
定着装置１１は、用紙を挟み込んで搬送するヒートローラ１１ａおよび加圧ローラ１１ｂを有する。ヒートローラ１１ａは、所定の定着温度となるように温度制御され、加圧ローラ１１ｂとともに用紙を熱圧着することにより、用紙に転写されたトナー像を溶融、混合、圧接し、用紙に対して熱定着させる機能を有している。また、定着装置１１には、ヒートローラ１１ａを外部から加熱するための外部加熱ベルト１１ｃが設けられている。
【００８３】
給紙トレイ１２ａは、用紙を格納しておくためのトレイであり、手差し給紙トレイ１２ｂは、用紙が載置されるトレイである。排紙トレイ１３は、印刷済みの用紙をフェイスダウンで載置するためのトレイである。
【００８４】
シート搬送装置１４は、用紙を給紙トレイ１２ａまたは手差し給紙トレイ１２ｂから２次転写装置１０や定着装置１１を経由させて排紙トレイ１３に送るために設けられている。シート搬送装置１４では、給紙トレイ１２ａからシート搬送路Ｓに沿って、ピックアップローラ１４ａ、サバキローラ１４ｂ、分離ローラ１４ｃ、搬送ローラ１４ｄ、レジスト前ローラ対１４ｅ、レジストローラ対１４ｆ、および排紙ローラ１４ｇが配置されている。
【００８５】
ピックアップローラ１４ａは、給紙トレイ１２ａの近傍に設けられており、給紙トレイ１２ａから用紙を１枚ずつシート搬送路Ｓに供給する呼び込みローラである。サバキローラ１４ｂは、分離ローラ１４ｃとの間に用紙を通過させることにより、用紙を１枚ずつ分離してシート搬送路Ｓへと搬送する。
【００８６】
また、手差し給紙トレイ１２ｂの近傍には、ピックアップローラ１４ｉが設けられている。ピックアップローラ１４ｉは、手差し給紙トレイ１２ｂから用紙を１枚ずつシート搬送路Ｓに供給する呼び込みローラである。
【００８７】
搬送ローラ１４ｄおよびレジスト前ローラ対１４ｅは、用紙の搬送を促進補助するための小型のローラである。なお、図７では、簡略化のために、搬送ローラ１４ｄを１個だけ示したが、実際には、搬送ローラ１４ｄは、シート搬送路Ｓに沿って複数箇所に設けられている。
【００８８】
レジスト前ローラ対１４ｅは、レジストローラ対１４ｆのシート搬送方向上流側の直近に設けられており、用紙をレジストローラ対１４ｆへと搬送する。レジストローラ対１４ｆは、レジスト前ローラ対１４ｅから搬送されてきた用紙を一旦停止させて、用紙の先端を揃え、中間転写ベルト９ｅと転写ローラ１０ａとの間のニップ域で中間転写ベルト９ｅ上のカラーのトナー像が用紙に転写されるように、中間転写ベルト９ｅの回転にあわせて、用紙をタイミングよく搬送する。
【００８９】
たとえば、レジストローラ対１４ｆは、中間転写ベルト９ｅと転写ローラ１０ａとの間のニップ域で中間転写ベルト９ｅ上のカラーのトナ一像の先端が用紙における画像形成範囲の先端に合うように、用紙を搬送する。
【００９０】
トナー像が転写された用紙は、ヒートローラ１１ａおよび加圧ローラ１１ｂにより、トナー像が用紙に定着されながら搬送される。各色のトナー像が定着された用紙は、排紙ローラ１４ｇによって排紙トレイ１３に排出される。
【００９１】
なお、４つの画像形成ステーションのうち少なくとも一つを用いて、モノクロ画像を形成し、モノクロ画像を中間転写ベルト装置９の中間転写ベルト９ｅに転写することも可能である。このモノクロ画像も、カラー画像と同様に、中間転写ベルト９ｅから用紙に転写され、用紙上に定着される。
【００９２】
また、用紙の表（オモテ）面だけではなく、両面の画像形成を行う場合は、用紙の表面の画像を定着装置１１により定着した後に、用紙をシート搬送路Ｓの排紙ローラ１４ｇにより搬送する途中で、排紙ローラ１４ｇを停止させてから逆回転させ、搬送ローラ１４ｈにより用紙を表裏反転経路Ｓｒに通して、用紙の表裏を反転させてから、用紙を再びレジストローラ対１４ｆへと導き、用紙の表面と同様に、用紙の裏面にトナー像を転写して定着し、用紙を排紙トレイ１３に排出する。
【００９３】
画像読取装置２は、画像読取部２０と、画像読取部２０に対して開閉可能に取り付けられた原稿送り装置３０とを含んでいる。
【００９４】
画像読取部２０は、原稿固定方式による読み取りと、原稿移動方式による読み取りとを行うことが可能なように構成されている。画像読取部２０は、原稿台ガラス２１と、原稿読取ガラス２２と、光源ユニット２３と、ミラーユニット２４と、撮像部２５とを有する。
【００９５】
原稿台ガラス２１は、原稿の最大サイズよりも大きい透明なガラス板である。原稿読取ガラス２２は、主走査方向（紙面に対する垂直方向）に延びる透明なガラス板である。原稿台ガラス２１および原稿読取ガラス２２は、光源ユニット２３から出射された光を透過するとともに、原稿で反射された光を透過するように構成されている。
【００９６】
光源ユニット２３は、原稿へ向けて光を照射する光源２３ａと、原稿からの反射光をミラーユニット２４へ導くミラー２３ｂとを有する。光源ユニット２３は、副走査方向Ｐに移動可能なように構成されている。光源２３ａは、主走査方向において間隔を隔てて配置される複数のＬＥＤ（Light Emitting Diode：発光ダイオード）により構成されている。
【００９７】
ミラーユニット２４は、ミラー２４ａとミラー２４ｂとを有する。ミラーユニット２４は、光源ユニット２３の移動速度の１／２の移動速度で、副走査方向Ｐに移動可能なように構成されている。ミラー２４ａは、光源ユニット２３のミラー２３ｂからの反射光をミラー２４ｂへと導くために設けられている。ミラー２４ｂは、ミラー２４ａからの反射光を撮像部２５へと導くために設けられている。
【００９８】
撮像部２５は、集光レンズやＣＣＤ（Charge Coupled Device：電荷結合素子）などを有する。撮像部２５は、ミラーユニット２４のミラー２４ｂからの反射光を、集光レンズを介してＣＣＤの受光面に結像することにより、原稿の画像を撮像するように構成されている。
【００９９】
画像読取部２０では、原稿固定方式による読取時に、光源ユニット２３およびミラーユニット２４を副走査方向Ｐに移動させながら、光源２３ａから光が出射される。このとき、光源２３ａから出射される光は、原稿台ガラス２１を介して原稿台ガラス２１上に載置される原稿に照射される。そして、原稿からの反射光は、原稿台ガラス２１、光源ユニット２３のミラー２３ｂ、および、ミラーユニット２４のミラー２４ａおよびミラー２４ｂを介して撮像部２５に入射される。これにより、画像読取部２０は、原稿台ガラス２１上に固定的に配置された原稿の画像を読み取ることが可能である。
【０１００】
また、画像読取部２０では、原稿移動方式による読取時に、光源ユニット２３を読取位置（図７に示す位置）に停止させた状態で、光源２３ａから光が出射される。このとき、光源２３ａから出射される光は、原稿読取ガラス２２を介して、原稿送り装置３０により原稿読取ガラス２２上を搬送方向Ｐに搬送される原稿に照射される。そして、原稿からの反射光は、原稿読取ガラス２２、光源ユニット２３のミラー２３ｂ、および、ミラーユニット２４のミラー２４ａおよびミラー２４ｂを介して撮像部２５に入射される。これにより、画像読取部２０は、原稿送り装置３０により原稿読取ガラス２２上を搬送される原稿の画像を読み取ることが可能である。
【０１０１】
原稿送り装置３０は、原稿が載置される原稿トレイ３１と、原稿が排出される排紙トレイ３２と、原稿トレイ３１に載置される原稿を排紙トレイ３２へ搬送するための搬送路３３ａと、読取位置を通過した原稿を読取位置よりも上流側へと戻すための搬送路３３ｂとを含んでいる。
【０１０２】
原稿トレイ３１には、原稿がフェイスアップで載置されている。原稿トレイ３１の近傍には、ピックアップローラ３４が設けられている。ピックアップローラ３４は、原稿トレイ３１に載置された原稿を上から順に原稿送り装置３０の内部に取り込むために設けられている。
【０１０３】
ピックアップローラ３４の近傍には、サバキローラ３５ａおよび分離ローラ３５ｂが設けられている。サバキローラ３５ａおよび分離ローラ３５ｂは、複数の原稿が重なった状態で搬送路３３ａへ搬送されること（重送）を防止するために設けられている。
【０１０４】
排紙トレイ３２は、原稿トレイ３１の下方に配置され、原稿がフェイスダウンで排出される。搬送路３３ａは、正面から見てＵ字状に形成されている。搬送路３３ａには、搬送ローラ３６と排出ローラ３７とが設けられている。
【０１０５】
原稿送り装置３０では、ピックアップローラ３４により、原稿トレイ３１に載置される原稿が原稿送り装置３０の内部に取り込まれる。そして、取り込まれた原稿がサバキローラ３５ａおよび分離ローラ３５ｂにより分離される。これにより、搬送路３３ａに原稿が１枚ずつ搬送される。そして、搬送ローラ３６により原稿が搬送路３３ａを搬送される。この搬送路３３ａを搬送される原稿が読取位置を通過する際に、画像読取部２０により原稿の表面の画像が読み取られる。
【０１０６】
そして、原稿の表面のみが読み取られる場合には、排出ローラ３７により原稿が排紙トレイ３２へ排出される。その一方、原稿の両面が読み取られる場合には、原稿が搬送路３３ｂを介して読取位置の上流側へ搬送される。これにより、画像読取部２０により原稿の裏面の画像が読み取られる。なお、この場合には、両面の画像が読み取られた原稿が再び搬送路３３ｂを介して読取位置の上流側へ搬送される。その後、排出ローラ３７により原稿が排紙トレイ３２へ排出される。これにより、原稿がフェイスダウンで排出される。その結果、原稿トレイ３１に複数の原稿が載置され、複数の原稿が連続的に読み取られて排紙トレイ３２に排出された場合にも、複数の原稿の順番に対する面の向きが反転するのを防止することができる。
【０１０７】
図８は、図７に示した画像形成装置に設けられた操作パネルを示した平面図である。図８を参照して、実施の形態２に係る画像形成装置１に設けられた操作パネル４０について説明する。
【０１０８】
画像形成装置１に設けられた操作パネル４０には、スタートボタン４１ａおよびスタートボタン４１ｂと、数字ボタン４２と、クリアボタン４３と、全解除ボタン４４と、モード選択ボタン４５ａ〜モード選択ボタン４５ｃと、ジョブ状況ボタン４６と、表示装置４７とが設けられている。
【０１０９】
スタートボタン４１ａは、原稿をカラーでコピーやスキャンするために設けられている。スタートボタン４１ｂは、原稿を白黒でコピーやスキャンするために設けられている。また、スタートボタン４１ｂは、ファクシミリの送信を開始するために設けられている。
【０１１０】
数字ボタン４２は、コピー枚数やファクシミリ番号を利用者が入力するために設けられている。クリアボタン４３は、設定したコピー枚数を消去するために設けられている。全解除ボタン４４は、設定を初期状態に戻すために設けられている。
【０１１１】
モード選択ボタン４５ａは、画像形成装置１をプリンタモードにするために設けられている。モード選択ボタン４５ｂは、画像形成装置１をファクシミリモードにするために設けられている。モード選択ボタン４５ｃは、画像形成装置１をコピーモードにするために設けられている。ジョブ状況ボタン４６は、ジョブ状況画面を表示装置４７に表示するために設けられている。なお、ジョブ状況画面は、利用者がジョブの詳細を確認するための画面である。
【０１１２】
表示装置４７は、画像形成装置１の動作状況などを表示するために設けられている。表示装置４７は、上記した実施の形態１に係る表示装置１００（図３Ａおよび図３Ｂ参照）と同様に構成されている。
【０１１３】
実施の形態２では、上記のように、表示装置４７が上記した実施の形態１に係る表示装置１００と同様に構成されることによって、スペーサ６３（図３Ａおよび図３Ｂ参照）の内側の領域において色がにじむのを防止することが可能な表示装置４７を備える画像形成装置１を得ることができる。
【０１１４】
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【符号の説明】
【０１１５】
１                  画像形成装置
３                  画像形成部
４７                表示装置
５０                表示部
５１                画素
５１ａ〜５１ｃ      副画素
５３                液晶パネル
６０                タッチパネル
６１                第１透明基板
６１ａ              第１透明導電膜
６２                第２透明基板
６２ａ              第２透明導電膜
６３                スペーサ
６４ａ、６４ｂ      絶縁層
６４１ａ、６４１ｂ  一方端部
６４２ａ、６４２ｂ  他方端部
１００              表示装置
【図１】
2012242788.tif 000003
【図２】
2012242788.tif 000004
【図３Ａ】
2012242788.tif 000005
【図３Ｂ】
2012242788.tif 000006
【図４】
2012242788.tif 000007
【図５】
2012242788.tif 000008
【図６Ａ】
2012242788.tif 000009
【図６Ｂ】
2012242788.tif 000010
【図７】
2012242788.tif 000011
【図８】
2012242788.tif 000012